(57)【要約】      （修正有）【課題】温度変化や経時変化に依ることなく良好な色再現性を維持することが可能な発光駆動装置、並びに、これを用いた照明装置及び表示装置を提供する。【解決手段】発光駆動装置１００は、複数の光源２００Ｒ、２００Ｇ、２００Ｂを順次時分割で発光駆動させるものであり、一の光源の発光量を設定するための発光量制御パラメータＰＷＭ（ｋ＋１）は、同光源の前回発光時に検出された発光量の実際値ＤＥＴ（ｋ）、発光量の実際値ＤＥＴ（ｋ）と対比される所定の設定値ＲＥＦ（ｋ＋１）、及び、同光源の前回発光時に設定されていた発光量制御パラメータＰＷＭ（ｋ）に基づいて算出される。【選択図】図１
2011170219.tif 000002
【特許請求の範囲】
【請求項１】
複数の光源を順次時分割で発光駆動させる発光駆動装置であって、
一の光源の発光量を設定するための発光量制御パラメータは、同光源の前回発光時に検出された発光量の実際値、前記発光量の実際値と対比される所定の設定値、及び、同光源の前回発光時に設定されていた前記発光量制御パラメータに基づいて算出されることを特徴とする発光駆動装置。
【請求項２】
一の光源の発光量は、次の光源の発光開始までに検出完了されることを特徴とする請求項１に記載の発光駆動装置。
【請求項３】
前記発光量制御パラメータは、各光源毎に流れる駆動電流の電流値及びＰＷＭ制御値の少なくとも一方であることを特徴とする請求項１または請求項２に記載の発光駆動装置。
【請求項４】
各光源毎に、各々の前回発光時に光センサで検出された発光量の実際値を一時格納する第１レジスタと；
前記所定の設定値を出力する発光量設定回路と；
各光源毎に、各々の前回発光時に設定されていた前記発光量制御パラメータを一時格納する第２レジスタと；
前記第１レジスタ、前記発光量設定回路、及び、前記第２レジスタの出力に基づいて、各光源毎の前記発光量制御パラメータを算出する演算回路と；
前記演算回路で算出された各光源毎の前記発光量制御パラメータに基づいて、前記複数の光源を順次時分割で発光駆動させる複数の駆動回路と；
を有することを特徴とする請求項１〜請求項３のいずれかに記載の発光駆動装置。
【請求項５】
前記演算回路は、
前記所定の設定値を前記発光量の実際値で除算することにより、補正係数値を算出する補正係数算出部と；
前回発光時に設定されていた前記発光量制御パラメータに前記補正係数値を乗算することにより、新たな前記発光量制御パラメータを算出する乗算部と；
を有することを特徴とする請求項４に記載の発光駆動装置。
【請求項６】
全光源の消灯時に前記光センサで得られた暗電流値を一時格納する第３レジスタと；
前記発光量の実際値から前記暗電流値を減ずる減算部と；
を有し、
前記演算回路は、各光源毎の前記発光量制御パラメータを算出する際、前記第１レジスタの出力に代えて前記減算部の出力を用いることを特徴とする請求項４または請求項５に記載の発光駆動装置。
【請求項７】
前記光センサから入力される電気信号を積分してアナログ信号を生成する積分回路と；
前記アナログ信号をデジタル信号に変換して前記第１レジスタに出力するアナログ／デジタル変換回路と；
を有することを特徴とする請求項４〜請求項６のいずれかに記載の発光駆動装置。
【請求項８】
前記積分回路は、各光源毎に、その出力ゲインが切り替えられることを特徴とする請求項７に記載の発光駆動装置。
【請求項９】
複数の光源と；
前記複数の光源から順次時分割で放射される光を電気信号に変換して出力する単一の光センサと；
前記光センサから出力される電気信号の入力を受けて前記複数の光源を順次時分割で発光駆動させる請求項１〜請求項８のいずれかに記載の発光駆動装置と；
を有することを特徴とする照明装置。
【請求項１０】
前記複数の光源は、互いに異なる発光色を有することを特徴とする請求項９に記載の照明装置。
【請求項１１】
前記複数の光源は、いずれも発光ダイオードであることを特徴とする請求項１０に記載の照明装置。
【請求項１２】
前記複数の光源は、いずれも有機ＥＬ素子であることを特徴とする請求項１０に記載の照明装置。
【請求項１３】
液晶表示パネルと；
前記液晶表示パネルを照明する請求項９〜請求項１２のいずれかに記載の照明装置と；
を有することを特徴とする表示装置。
【請求項１４】
前記液晶表示パネルは、フィールドシーケンシャル駆動されることを特徴とする請求項１３に記載の表示装置。
【請求項１５】
前記照明装置は、一のフレーム期間内に少なくとも一回の消灯期間を有するように疑似インパルス駆動されることを特徴とする請求項１３または請求項１４に記載の表示装置。
【発明の詳細な説明】
【技術分野】
【０００１】
本発明は、複数の光源を順次時分割で発光駆動させる発光駆動装置、並びに、これを用いた照明装置及び表示装置に関するものである。
【背景技術】
【０００２】
従来より、液晶ディスプレイの色再現性を向上させるため、バックライトの光源として異なる発光色（赤（Ｒ）、緑（Ｇ）、青（Ｂ）など）で発光する複数の光源を用い、その混色により白色を作る方法がある（例えば、特許文献１を参照）。
【０００３】
図８は、表示装置の一従来例を示すブロック図であり、特許文献１に開示されたものと同様である。本従来例の表示装置では、温度変化や経時変化があっても、製品出荷時及びユーザ調整時に設定されたホワイトバランスが常に保たれるように、複数の光源の発光量を検出して、予め設定された発光量に保つようにフィードバック制御が行われていた。
【０００４】
また、従来より、異なる発光色（赤（Ｒ）、緑（Ｇ）、青（Ｂ）など）で発光する複数の光源を順次時分割で発光させて、液晶表示素子に照射する方法も開示されている（例えば、特許文献２を参照）。
【先行技術文献】
【特許文献】
【０００５】
【特許文献１】特開平１１−２９５６８９号公報
【特許文献２】特開２００１−２３５７２９号公報
【発明の概要】
【発明が解決しようとする課題】
【０００６】
確かに、特許文献１の従来技術であれば、周囲の温度環境の変化に依らず、良好な色再現性を維持する液晶表示装置を提供することが可能となる。
【０００７】
しかしながら、特許文献１の従来技術では、複数の光源を同時に発光させて白色光が生成されていたので、各光源毎の発光量を検出するために、それぞれの発光色に対応したカラーセンサが必要である上、フィードバック制御に必要となる演算回路についても各光源毎に設けなければならず、装置の規模増大やコストアップが招かれていた。
【０００８】
なお、特許文献２の従来技術では、複数の光源を順次時分割で発光させて白色光を生成する技術が開示されており、特に、低温での液晶動作が遅くなることに対して、光源の発光時間を周囲温度に対して制御する方法が開示されているが、光源自体の温度変化や経時変化に対するホワイトバランスの調整方法については、何ら開示されていなかった。
【０００９】
本発明は、上記の問題点に鑑み、装置の規模増大やコストアップを抑えながら、温度変化や経時変化に依ることなく良好な色再現性を維持することが可能な発光駆動装置、並びに、これを用いた照明装置及び表示装置を提供することを目的とする。
【課題を解決するための手段】
【００１０】
上記目的を達成するために、本発明に係る発光駆動装置は、複数の光源を順次時分割で発光駆動させる発光駆動装置であって、一の光源の発光量を設定するための発光量制御パラメータは、同光源の前回発光時に検出された発光量の実際値、前記発光量の実際値と対比される所定の設定値、及び、同光源の前回発光時に設定されていた前記発光量制御パラメータに基づいて算出される構成（第１の構成）とされている。
【００１１】
なお、上記第１の構成から成る発光駆動装置において、一の光源の発光量は、次の光源の発光開始までに検出完了される構成（第２の構成）にするとよい。
【００１２】
また、上記第１または第２の構成から成る発光駆動装置において、前記発光量制御パラメータは、各光源毎に流れる駆動電流の電流値及びＰＷＭ制御値の少なくとも一方である構成（第３の構成）にするとよい。
【００１３】
また、上記第１〜第３いずれかの構成から成る発光駆動装置は、各光源毎に、各々の前回発光時に光センサで検出された発光量の実際値を一時格納する第１レジスタと；前記所定の設定値を出力する発光量設定回路と；各光源毎に、各々の前回発光時に設定されていた前記発光量制御パラメータを一時格納する第２レジスタと；前記第１レジスタ、前記発光量設定回路、及び、前記第２レジスタの出力に基づいて、各光源毎の前記発光量制御パラメータを算出する演算回路と；前記演算回路で算出された各光源毎の前記発光量制御パラメータに基づいて、前記複数の光源を順次時分割で発光駆動させる複数の駆動回路と；を有する構成（第４の構成）にするとよい。
【００１４】
また、上記第４の構成から成る発光駆動装置において、前記演算回路は、前記所定の設定値を前記発光量の実際値で除算することにより、補正係数値を算出する補正係数算出部と；前回発光時に設定されていた前記発光量制御パラメータに前記補正係数値を乗算することにより、新たな前記発光量制御パラメータを算出する乗算部と；を有する構成（第５の構成）にするとよい。
【００１５】
また、上記第４または第５の構成から成る発光駆動装置は、全光源の消灯時に前記光センサで得られた暗電流値を一時格納する第３レジスタと；前記発光量の実際値から前記暗電流値を減ずる減算部と；を有し、前記演算回路は、各光源毎の前記発光量制御パラメータを算出する際、前記第１レジスタの出力に代えて前記減算部の出力を用いる構成（第６の構成）にするとよい。
【００１６】
また、上記第４〜第６いずれかの構成から成る発光駆動装置は、前記光センサから入力される電気信号を積分してアナログ信号を生成する積分回路と；前記アナログ信号をデジタル信号に変換して前記第１レジスタに出力するアナログ／デジタル変換回路と；を有する構成（第７の構成）にするとよい。
【００１７】
また、上記第７の構成から成る発光駆動装置において、前記積分回路は、各光源毎に、その出力ゲインが切り替えられる構成（第８の構成）にするとよい。
【００１８】
また、本発明に係る照明装置は、複数の光源と；前記複数の光源から順次時分割で放射される光を電気信号に変換して出力する単一の光センサと；前記光センサから出力される電気信号の入力を受けて前記複数の光源を順次時分割で発光駆動させる上記第１〜第８いずれかの構成から成る発光駆動装置と；を有する構成（第９の構成）とされている。
【００１９】
なお、上記第９の構成から成る照明装置において、前記複数の光源は、互いに異なる発光色を有する構成（第１０の構成）にするとよい。
【００２０】
また、上記第１０の構成から成る照明装置において、前記複数の光源は、いずれも発光ダイオードである構成（第１１の構成）にするとよい。
【００２１】
また、上記第１０の構成から成る照明装置において、前記複数の光源は、いずれも有機ＥＬ素子である構成（第１２の構成）にするとよい。
【００２２】
また、本発明に係る表示装置は、液晶表示パネルと；前記液晶表示パネルを照明する上記第９〜第１２いずれかの構成から成る照明装置と；を有する構成（第１３の構成）とされている。
【００２３】
なお、上記第１３の構成から成る表示装置において、前記液晶表示パネルは、フィールドシーケンシャル駆動される構成（第１４の構成）にするとよい。
【００２４】
また、上記第１３または第１４の構成から成る表示装置において、前記照明装置は、一のフレーム期間内に少なくとも一回の消灯期間を有するように疑似インパルス駆動される構成（第１５の構成）にするとよい。
【発明の効果】
【００２５】
本発明に係る発光駆動装置、並びに、これを用いた照明装置及び表示装置であれば、装置の規模増大やコストアップを抑えながら、温度変化や経時変化に依ることなく良好な色再現性を維持することが可能となる。
【図面の簡単な説明】
【００２６】
【図１】本発明に係る表示装置の一実施形態を示すブロック図である。
【図２】演算回路１０７の一構成例を示すブロック図である。
【図３】発光駆動装置１００の第１動作例を示すタイミングチャートである。
【図４】発光駆動装置１００の第２動作例を示すタイミングチャートである。
【図５】発光駆動装置１００の一変形例を示すブロック図である。
【図６】積分回路１０１の一構成例を示す回路図である。
【図７】積分回路１０１の出力ゲイン可変動作を示すタイミングチャートである。
【図８】表示装置の一従来例を示すブロック図である。
【発明を実施するための形態】
【００２７】
図１は、本発明に係る表示装置の一実施形態を示すブロック図である。本実施形態の表示装置１は、発光駆動装置１００と、バックライト２００と、液晶表示パネル３００と、光センサ４００と、を有する。
【００２８】
発光駆動装置１００は、光センサ４００から出力される電気信号の入力を受けて、バックライト２００を形成する複数の光源を順次時分割で発光駆動させる半導体装置（いわゆるバックライト駆動ＩＣ）である。なお、発光駆動装置１００の内部構成については、後ほど詳細に説明する。
【００２９】
バックライト２００は、液晶表示パネル３００を背面側から照明する照明装置であり、互いに異なる発光色を有する複数の光源（本実施形態では、赤色光源２００Ｒ、緑色光源２００Ｇ、及び、青色光源２００Ｂの３つ）を有する。これら３つの光源２００Ｒ、２００Ｇ、及び、２００Ｂは、発光駆動回路１００からの指示に応じて、順次時分割で発光駆動され、各発光色の混色によって白色光が生成される。なお、本実施形態では、上記３つの光源２００Ｒ、２００Ｇ、２００Ｂとしていずれも発光ダイオードが用いられている。また、各光源の発光量（発光強度）を定める発光量制御パラメータとしては、各光源毎に流れる駆動電流の電流値、及び、ＰＷＭ［Pulse Width Modulation］制御値（所定のＰＷＭ周期中に占めるオン期間の割合を定めるオンデューティ値）の少なくとも一方を用いることができる。ただし、以下では、説明を簡単とするために、各光源毎に流れる駆動電流の電流値を一定とし、ＰＷＭ制御値のみを可変制御する構成を例に挙げて説明を行う。
【００３０】
液晶表示パネル３００は、映像信号に応じてその光透過率が変化する液晶素子を画素として用いた映像出力手段である。
【００３１】
光センサ４００は、バックライト２００を形成する複数の光源２００Ｒ、２００Ｇ、２００Ｂから順次時分割で放射される光を電気信号に変換して出力する単一の光電変換手段である。なお、光センサ４００としては、フォトダイオードやフォトトランジスタを好適に用いることができる。また、光センサ４００のピーク感度は、赤色光、緑色光、青色光のいずれかに指向性を持つのではなく、各色光をできるだけ均一に検出できるように設計しておくことが望ましい。
【００３２】
本実施形態の表示装置１において、発光駆動装置１００は、積分回路１０１と、アナログ／デジタル変換回路１０２と、セレクタ１０３と、第１レジスタ１０４（赤色発光量レジスタ１０４Ｒ、緑色発光量レジスタ１０４Ｇ、及び、青色発光量１０４Ｂ）と、セレクタ１０５と、発光量設定回路１０６と、演算回路１０７と、セレクタ１０８と、第２レジスタ１０９（赤色ＰＷＭ値レジスタ１０９Ｒ、緑色ＰＷＭ値レジスタ１０９Ｇ、及び、青色ＰＷＭ値レジスタ１０９Ｂ）と、セレクタ１１０と、セレクタ１１１と、ドライバ１１２（赤色ドライバ１１２Ｒ、緑色ドライバ１１２Ｇ、及び、青色ドライバ１１２Ｂ）と、タイミング制御回路１１３と、を有する。
【００３３】
積分回路１０１は、光センサ４００から入力される電気信号を積分してアナログ信号を生成する。
【００３４】
アナログ／デジタル変換回路１０２は、積分回路１０１から入力されるアナログ信号をデジタル信号に変換し、これをセレクタ１０３経由で第１レジスタ１０４に出力する。
【００３５】
セレクタ１０３は、タイミング制御回路１１３からの切替指示に基づいて、アナログ／デジタル変換回路１０２の出力端と、赤色発光量レジスタ１０４Ｒ、緑色発光量レジスタ１０４Ｇ、及び、青色発光量レジスタ１０４Ｂの各入力端のいずれか一と、を順次時分割で接続する。
【００３６】
第１レジスタ１０４は、赤色発光量レジスタ１０４Ｒと、緑色発光量レジスタ１０４Ｇと、青色発光量レジスタ１０４Ｂと、を有する。赤色発光量レジスタ１０４Ｒは、第ｋフレームにおける赤色光源２００Ｒの発光時に光センサ４００で検出された赤色発光量の実際値ＤＥＴ＿Ｒ（ｋ）を一時的に格納する。緑色発光量レジスタ１０４Ｇは、第ｋフレームにおける緑色光源２００Ｇの発光時に光センサ４００で検出された緑色発光量の実際値ＤＥＴ＿Ｇ（ｋ）を一時的に格納する。青色発光量レジスタ１０４Ｂは、第ｋフレームにおける青色光源２００Ｂの発光時に光センサ４００で検出された青色発光量の実際値ＤＥＴ＿Ｂ（ｋ）を一時的に格納する。
【００３７】
セレクタ１０５は、タイミング制御回路１１３からの切替指示に基づいて、演算回路１０７の第１入力端と、赤色発光量レジスタ１０４Ｒ、緑色発光量レジスタ１０４Ｇ、及び青色発光量レジスタ１０４Ｂの各出力端のいずれか一と、を順次時分割で接続する。
【００３８】
発光量設定回路１０６は、第（ｋ＋１）フレームにおける各光源毎の発光量を定めるための設定値ＲＥＦ＿Ｒ（ｋ＋１）、ＲＥＦ＿Ｇ（ｋ＋１）、及び、ＲＥＦ＿Ｂ（ｋ＋１）を演算回路１０７の第２入力端に出力する。なお、発光量設定回路１０６には、上記した設定値ＲＥＦ＿Ｒ（ｋ＋１）、ＲＥＦ＿Ｇ（ｋ＋１）、及び、ＲＥＦ＿Ｂ（ｋ＋１）として、ホワイトバランスが取れた状態（製品出荷時ないしユーザ調整時の状態）で予め検出しておいた各色発光量の目標値が不揮発的に格納されている。なお、バックライト２００の輝度制御を行う場合には、その輝度値毎に各色発光量の目標値を格納しておけばよい。
【００３９】
演算回路１０７は、第１レジスタ１０４の出力（第ｋフレームにおける各色発光量の実際値ＤＥＴ（ｋ））、発光量設定回路１０６の出力（第（ｋ＋１）フレームにおける各色発光量を定めるための設定値ＲＥＦ（ｋ＋１））、及び、第２レジスタ１０９の出力（第ｋフレームにおいて設定されていた各光源毎の発光量制御パラメータＰＷＭ（ｋ））に基づいて、第（ｋ＋１）フレームにおいて設定するべき各光源毎の発光量制御パラメータＰＷＭ（ｋ＋１）を算出する。なお、演算回路１０７の内部構成については、後ほど詳細に説明する。
【００４０】
セレクタ１０８は、タイミング制御回路１１３からの切替指示に基づいて、演算回路１０７の第３入力端と、赤色ＰＷＭ値レジスタ１０９Ｒ、緑色ＰＷＭ値レジスタ１０９Ｇ、青色ＰＷＭ値レジスタ１０９Ｂの各出力端のいずれか一と、を順次時分割で接続する。
【００４１】
第２レジスタ１０９は、赤色ＰＷＭ値レジスタ１０９Ｒと、緑色ＰＷＭ値レジスタ１０９Ｇと、青色ＰＷＭ値レジスタ１０９Ｂとを有する。赤色ＰＷＭ値レジスタ１０９Ｒは、第ｋフレームにおける赤色光源２００Ｒの発光時に設定されていた発光量制御パラメータＰＷＭ＿Ｒ（ｋ）を一時格納する。緑色ＰＷＭ値レジスタ１０９Ｇは、第ｋフレームにおける緑色光源２００Ｇの発光時に設定されていた発光量制御パラメータＰＷＭ＿Ｇ（ｋ）を一時格納する。青色ＰＷＭ値レジスタ１０９Ｂは、第ｋフレームにおける青色光源２００Ｂの発光時に設定されていた発光量制御パラメータＰＷＭ＿Ｂ（ｋ）を一時格納する。
【００４２】
セレクタ１１０は、タイミング制御回路１１３からの切替指示に基づいて、演算回路１０７の出力端と、赤色ＰＷＭ値レジスタ１０９Ｒ、緑色ＰＷＭ値レジスタ１０９Ｇ、及び青色ＰＷＭ値レジスタ１０９Ｂの各入力端のいずれか一と、を順次時分割で接続する。
【００４３】
セレクタ１１１は、タイミング制御回路１１３からの切替指示に基づいて、演算回路１０７の出力端と、赤色ドライバ１１２Ｒ、緑色ドライバ１１２Ｇ、及び、青色ドライバ１１２Ｂの各入力端のいずれか一と、を順次時分割で接続する。
【００４４】
ドライバ１１２は、赤色ドライバ１１２Ｒと、緑色ドライバ１１２Ｇと、青色ドライバ１１２Ｂとを有し、演算回路１０７で算出された各光源毎の発光量制御パラメータＰＷＭ（ｋ＋１）に基づいて、赤色光源２００Ｒ、緑色光源２００Ｇ、及び、青色光源２００Ｂを順次時分割で発光駆動させる。
【００４５】
タイミング制御回路１１３は、セレクタ１０３、１０５、１０８、１１０、及び、１１１における各光源毎の信号経路切替制御と、発光量設定回路１０６における各光源毎の設定値出力制御と、をそれぞれ同期させるためのタイミング制御信号を生成する。
【００４６】
図２は、演算回路１０７の一構成例を示すブロック図である。本構成例の演算回路１０７は、補正係数算出部１０７ａと、乗算部１０７ｂと、を有する。
【００４７】
補正係数算出部１０７ａは、発光量設定回路１０６の出力（第（ｋ＋１）フレームにおける各色発光量を定めるための設定値ＲＥＦ（ｋ＋１））を、第１レジスタ１０４の出力（第ｋフレームにおける各色発光量の実際値ＤＥＴ（ｋ））で除算することにより、補正係数値α（ｋ＋１）を算出する。すなわち、発光量の実際値ＤＥＴ（ｋ）が設定値ＲＥＦ（ｋ＋１）よりも大きければ、補正係数値α（ｋ＋１）は１よりも小さくなり、これとは逆に、発光量の実際値ＤＥＴ（ｋ）が設定値ＲＥＦ（ｋ＋１）よりも小さければ、補正係数値α（ｋ＋１）は１よりも大きくなる。
【００４８】
乗算部１０７ｂは、第２レジスタ１０９の出力（第ｋフレームにおいて設定されていた各光源毎の発光量制御パラメータＰＷＭ（ｋ））に補正係数値α（ｋ＋１）を乗算することにより、第（ｋ＋１）フレームにおいて設定するべき各光源毎の発光量制御パラメータＰＷＭ（ｋ＋１）を算出する。
【００４９】
図３は、発光駆動装置１００の第１動作例を示すタイミングチャートであり、上から順に、液晶透過度、赤色オン信号ＲＯＮ、緑色オン信号ＧＯＮ、青色オン信号ＢＯＮ、赤色光源２００Ｒの駆動電流、緑色光源２００Ｇの駆動電流、青色光源２００Ｂの駆動電流、及び、センサ出力（積分値）が描写されている。
【００５０】
図３に示した第１動作例では、液晶表示パネル３００がフィールドシーケンシャル駆動されており、一のフレーム期間は、赤色画像を出力するＲ期間、緑色画像を出力するＧ期間、及び、青色画像を出力するＢ期間の３つに等分割されている。以下では、赤色光源２００Ｒの発光量制御を代表例に挙げて説明を行うが、緑色光源２００Ｇ、及び、青色光源２００Ｂについても、同様の発光量制御が行われることは言うまでもない。
【００５１】
第ｋフレームのＲ期間において赤色オン信号ＲＯＮがハイレベルに立ち上げられると、タイミング制御回路１１３は、赤色光源２００Ｒの点灯に先立ち、第ｋフレームにおいて設定するべき赤色光源２００Ｒの発光量制御パラメータＰＷＭ＿Ｒ（ｋ）を算出する。このとき、演算回路１０６では、第１レジスタ１０４の出力（第（ｋ−１）フレームにおける赤色発光量の実際値ＤＥＴ＿Ｒ（ｋ−１））、発光量設定回路１０６の出力（第ｋフレームにおける赤色発光量を定めるための設定値ＲＥＦ＿Ｒ（ｋ））、及び、第２レジスタ１０９の出力（第（ｋ−１）フレームにおいて設定されていた赤色光源２００Ｒの発光量制御パラメータＰＷＭ（ｋ−１））が参照される。
【００５２】
また、装置の電源投入時には、第１レジスタ１０４及び第２レジスタ１０９の双方に対して、所定のデフォルト値ＤＥＴ＿Ｒ（０）及びＰＷＭ＿Ｒ（０）を書き込む構成とすればよい。このような構成とすることにより、演算回路１０７では、第１フレームの発光量制御パラメータＰＷＭ＿Ｒ（１）を適切に算出することが可能となる。
【００５３】
なお、演算回路１０６での具体的な算出動作については、先に述べた通りであるので、重複した説明は割愛する。
【００５４】
発光量制御パラメータＰＷＭ＿Ｒ（ｋ）が算出されると、赤色ドライバ１１２Ｒは、赤色光源２００Ｒを所定のオンデューティで点灯させる。赤色光源２００Ｒが点灯されている間、光センサ４００からは、赤色光源２００Ｒの発光量に応じた電流信号が出力され、積分回路１０１の出力電圧値が上昇していく。なお、センサ出力の積分期間は、上記のＲ期間、または、赤色光源２００ＲのＰＷＭの１周期と等しい期間に設定しておけばよい。
【００５５】
その後、赤色光源２００Ｒの消灯時点で得られていた積分回路１０１の出力電圧値が第ｋフレームにおける赤色発光量の実際値ＤＥＴ＿Ｒ（ｋ）として、赤色発光量レジスタ１０４Ｒに一時格納される。このように、赤色光源２００Ｒの発光量ＤＥＴ＿Ｒ（ｋ）を検出し、これを赤色発光量レジスタ１０４Ｒに一時格納するまでの一連の動作は、緑色光源２００Ｇの発光開始までに完了される。また、赤色ＰＷＭ値レジスタ１０９Ｒでは、先に算出された発光量制御パラメータＰＷＭ＿Ｒ（ｋ）が一時格納される。上記一連のフローにより、赤色光源２００Ｒの発光サイクルが完了され、続いて緑色光源２００Ｇ、及び、青色光源２００Ｂの選択が待たれる。
【００５６】
以後も上記と同様の動作が繰り返される。すなわち、第（ｋ＋１）フレームのＲ期間において赤色オン信号ＲＯＮがハイレベルに立ち上げられると、タイミング制御回路１１３は、赤色光源２００Ｒの点灯に先立ち、第（ｋ＋１）フレームにおいて設定するべき赤色光源２００Ｒの発光量制御パラメータＰＷＭ＿Ｒ（ｋ＋１）を算出する。このとき、演算回路１０６では、第１レジスタ１０４の出力（第ｋフレームにおける赤色発光量の実際値ＤＥＴ＿Ｒ（ｋ））、発光量設定回路１０６の出力（第（ｋ＋１）フレームにおける赤色発光量を定めるための設定値ＲＥＦ＿Ｒ（ｋ＋１））、及び、第２レジスタ１０９の出力（第ｋフレームにおいて設定されていた赤色光源２００Ｒの発光量制御パラメータＰＷＭ（ｋ））が参照される。
【００５７】
図４は、発光駆動装置１００の第２動作例を示すタイミングチャートであり、上から順に、液晶透過度、バックライトオン信号ＯＮ、赤色光源２００Ｒの駆動電流、緑色光源２００Ｇの駆動電流、青色光源２００Ｂの駆動電流、及び、センサ出力（積分値）が描写されている。
【００５８】
図４に示した第２動作例では、第１動作例とは異なり、液晶表示パネル３００はフィールドシーケンシャル駆動されておらず、赤色光源２００Ｒ、緑色光源２００Ｇ、及び、青色光源２００Ｂは、バックライトオン信号ＯＮがハイレベルに立ち上げられると、一のフレーム期間内で設定された所定の発光期間に集中して、順次時分割で発光駆動される。言い換えれば、バックライト２００は、一のフレーム期間内に少なくとも一回の消灯期間を有するように疑似インパルス駆動される構成であると言える。このような構成とすることにより、人間の網膜残像効果を解消して、動画の表示性能を向上することが可能となる。
【００５９】
図５は、発光駆動装置１００の一変形例（特に、第１レジスタ１０４周辺）を示すブロック図である。本変形例の発光駆動装置１００は、全光源の消灯時に光センサ４００で得られた暗電流値ＤＥＴ＿Ｄを一時格納する第３レジスタ１１４と、第１レジスタ１０４に一時格納されている発光量の実際値ＤＥＴ（ｋ）から上記の暗電流値ＤＥＴ＿Ｄを減じて補正済み発光量ＤＥＴ（ｋ）’を生成する減算部１１５と、を有し、演算回路１０７は、各光源毎の発光量制御パラメータＰＷＭ（ｋ＋１）を算出する際、第１レジスタの出力ＤＥＴ（ｋ）に代えて減算部１１５の出力ＤＥＴ（ｋ）’を用いる構成とされている。このような構成とすることにより、光センサ４００で不可避的に生じる暗電流の影響を受けることなく、バックライト２００のホワイトバランス制御をより正確に行うことができる。
【００６０】
図６は、積分回路１０１の一構成例を示す回路図である。本構成例の積分回路１０１はオペアンプＡＭＰと、コンデンサＣ１及びＣ２と、スイッチＳＷａ〜ＳＷｅと、直流電圧源Ｅ１と、を有する。
【００６１】
オペアンプＡＭＰの非反転入力端（＋）は、直流電圧源Ｅ１の正極端とスイッチＳＷａの第１端に各々接続されている。直流電圧源Ｅ１の負極端は、所定の電位端に接続されている。オペアンプＡＭＰの反転入力端（−）は、コンデンサＣ１及びＣ２の各第１端と、スイッチＳＷｂ及びＳＷｃの各第１端に接続されている。スイッチＳＷａ及びＳＷｂの各第２端は、いずれも光センサ４００を形成するフォトダイオードのカソードに接続されている。フォトダイオードのアノードは、前記所定の電位端に接続されている。コンデンサＣ１及びＣ２の各第２端は、それぞれ、スイッチＳＷｄ及びＳＷｅの各第１端に接続されている。スイッチＳＷｃ〜ＳＷｅの各第２端は、いずれもオペアンプＡＭＰの出力端に接続されている。オペアンプＡＭＰの出力端は、積分回路１０１の出力端としてアナログ／デジタル変換回路１０２の入力端にも接続されている。
【００６２】
図７は、積分回路１０１の出力ゲイン可変動作を示すタイミングチャートであり、上から順に、ＬＥＤ電流（光源の駆動電流）、積分回路出力、スイッチＳＷａ〜ＳＷｅの各オン／オフ状態が描写されている。なお、図７では、コンデンサＣ１が選択される場合の様子が描写されている。
【００６３】
ＬＥＤ電流の測定期間が開始されるまで、スイッチＳＷａ及びＳＷｃ〜ｅがオンされ、スイッチＳＷｂがオフされる。これにより、光センサ４００を形成するフォトダイオード４００の蓄積電荷、並びに、コンデンサＣ１及びＣ２の電荷がいずれも放電されて、積分回路１０１の出力がゼロ値にリセットされる。
【００６４】
ＬＥＤ電流の測定期間には、スイッチＳＷａ、ＳＷｃ、及び、ＳＷｅがオフされ、スイッチＳＷｂ及びＳＷｄがオンされる。これにより、オペアンプＡＭＰの負帰還経路には、コンデンサＣ１のみが接続された状態となる。
【００６５】
続くアナログ／デジタル変換期間には、スイッチＳＷａ及びＳＷｄがオンされ、スイッチＳＷｂ〜ＳＷｄがオフされる。これにより、コンデンサＣ１への電流経路が切断されて電圧が保持されるとともに、スイッチＳＷａを介して光センサ４００を形成するフォトダイオード４００の蓄積電荷が放電される。
【００６６】
なお、図７では、コンデンサＣ１を選択する場合の様子しか描写されていないが、コンデンサＣ２を選択する場合には、ＬＥＤ電流の測定期間、及び、アナログ／デジタル変換期間において、スイッチＳＷｄではなくスイッチＳＷｅをオンすればよい。また、コンデンサＣ１とＣ２を両方とも選択する場合には、ＬＥＤ電流の測定期間、及び、アナログ／デジタル変換期間において、スイッチＳＷｄ及びＳＷｅを共にオンすればよい。
【００６７】
このように、本構成例の積分回路１０１は、各光源毎に、その出力ゲインが切り替えられる構成とされている。このような構成とすることにより、各光源毎に、光センサ４００で得られる電流量に差違があった場合でも、アナログ／デジタル変換回路１０２に入力されるアナログ信号のダイナミックレンジをできるだけ同一範囲に収めることができ、延いては、アナログ／デジタル変換回路１０２の小型化を実現することが可能となる。
【００６８】
以上で説明したように、本実施形態の発光駆動装置１００は、複数の光源２００Ｒ、２００Ｇ、２００Ｂを順次時分割で発光駆動させるものであり、一の光源の発光量を設定するための発光量制御パラメータＰＷＭ（ｋ＋１）は、同光源の前回発光時に検出された発光量の実際値ＤＥＴ（ｋ）、発光量の実際値ＤＥＴ（ｋ）と対比される所定の設定値ＲＥＦ（ｋ＋１）、及び、同光源の前回発光時に設定されていた発光量制御パラメータＰＷＭ（ｋ）に基づいて算出される構成とされている。
【００６９】
このような構成とすることにより、複数の光源２００Ｒ、２００Ｇ、２００Ｂが同時に発光されないので、各光源の発光量の分離をカラーセンサで行う必要がなく、光センサ４００として、比較的価格の安い照度センサを１つだけ用いれば足りる。従って、装置規模の増大やコストアップを極力抑えながら、温度変化や経時変化に依ることなく良好な色再現性を維持することが可能となる。
【００７０】
また、光源の発光が常時発光ではないため、液晶表示パネル３００をフィールドシーケンシャル駆動する際にも好適に用いることができるほか、液晶ディスプレイの動画特性向上させるために、バックライト２００を疑似インパルス駆動させる際にも好適に用いることができる。
【００７１】
また、本実施形態の発光駆動装置１００であれば、各光源の発光周期毎に各々の発光量を検出する方式が採用されているので、バックライト２００の輝度制御に際して、その応答速度を高めることが可能となり、例えば、液晶表示パネル３００の表示コントラスト比を向上させる技術として注目されているバックライト２００の局所輝度制御にも、十分に対応することが可能となる。
【００７２】
なお、上記の実施形態では、液晶表示装置のバックライトを発光駆動させる発光駆動装置に本発明を適用した構成を例に挙げて説明を行ったが、本発明の適用対象はこれに限定されるものではなく、その他の用途に供される様々な光源（例えば、有機ＥＬ素子）を発光駆動させる発光駆動装置全般に広く適用することが可能である。
【００７３】
また、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７４】
本発明は、液晶ディスプレイのバックライトや、ＬＥＤ［Light Emitting Diode］或いは有機ＥＬ素子（ＯＬＥＤ［Organic LED］）を用いた照明装置などに好適に利用することが可能な技術である。
【符号の説明】
【００７５】
１    表示装置
１００    発光駆動装置
１０１    積分回路
１０２    アナログ／デジタル変換回路
１０３    セレクタ
１０４Ｒ、１０４Ｇ、１０４Ｂ    第１レジスタ
１０５    セレクタ
１０６    発光量設定回路
１０７    演算回路
１０７ａ    補正係数算出部
１０７ｂ    乗算部
１０８    セレクタ
１０９Ｒ、１０９Ｇ、１０９Ｂ    第２レジスタ
１１０    セレクタ
１１１    セレクタ
１１２Ｒ、１１２Ｇ、１１２Ｂ    ドライバ
１１３    タイミング制御回路
１１４    第３レジスタ
１１５    減算部
２００    バックライト
２００Ｒ    赤色光源（赤色ＬＥＤ）
２００Ｇ    緑色光源（緑色ＬＥＤ）
２００Ｂ    青色光源（青色ＬＥＤ）
３００    液晶表示パネル
４００    光センサ
Ｃ１、Ｃ２    コンデンサ
ＡＭＰ    オペアンプ
Ｅ１    直流電圧源
ＳＷａ〜ＳＷｅ    スイッチ
【図１】
2011170219.tif 000003
【図２】
2011170219.tif 000004
【図３】
2011170219.tif 000005
【図４】
2011170219.tif 000006
【図５】
2011170219.tif 000007
【図６】
2011170219.tif 000008
【図７】
2011170219.tif 000009
【図８】
2011170219.tif 000010